(57)【要約】【課題】  遊戯場から提供される一般景品は、種類が少なく魅力に欠けるものが多いため交換率が低い。一部換金目的の特殊景品は、景品買取り店での換金額に相当する価値がなく、単なる換金目的の便宜上の景品に過ぎず、買取価格の公正化に問題が残り偽造や不正等の問題が生じている。また、ＩＣチップを内蔵した特殊景品にも通信トラブル時に確認作業ができないという問題があった。【解決手段】  遊戯客はメモリーカードにデジタルコンテンツを内蔵した魅力的な等価景品の提供を受けることができ、さらに携帯可能な景品の標準化・共通化が図られ、トラブル発生時においても問題無く稼働・処理することができる遊戯景品を提供することができる。これにより、一般景品の交換率向上と、景品買取りシステムの健全化・公正化が図られる。【選択図】  図２
2009153567.tif 000002
【特許請求の範囲】
【請求項１】
一般遊戯場およびアミューズメント施設にて提供される賞品において、客に提供する小型で携帯可能な景品と、その景品を格納する合成樹脂製の収納ケースと、通信データの履歴がオンラインまたはオフライン時でも記憶可能なＩＣチップとアンテナ機能を備えたケースシート（シート状ＲＦＣＰＵ)にて構成されることを特徴とする一般景品であり、換金を目的とする換金用景品としての使用も可能な機能を備えることを特徴とする。
【請求項２】
前記景品内蔵の記憶可能なＩＣチップとアンテナ機能を備えたケースシートの代わりに、記憶可能なＩＣタグと合成樹脂シートにて構成されることを特徴とする一般景品。
【請求項３】
前記景品を収納ケースより取り出す際に、本景品上部に覆い被せる様にケースに接着または融着されたケースシートまたは合成樹脂シートを剥がすか、または切断することによってアンテナ機能が破壊され、通信データ記憶用ＩＣチップの外部送受信機能が停止することを特徴とする請求項１乃至２記載の一般景品。
【請求項４】
前記景品として、ゲームソフトまたは音楽・映像・書籍等をメモリーカードに内蔵したデジタルコンテンツを提供することを特徴とする請求項１乃至３の何れかに記載の一般景品。
【請求項５】
前記景品の提供において、遊戯客ＩＤと一般景品ＩＤとを通信ネットワークにより接続・認証し、遊戯客と提供する一般景品とを特定および管理することを特徴とする請求項１乃至４の何れかに記載の一般景品。
【請求項６】
前記景品であって、遊技結果に応じた等価の貴金属等を景品に提供することを特徴とする一般景品。
【請求項７】
請求項１または２記載の収納ケース内部又は外部に、ホログラムあるいはバーコード等を付設し、偽造や不正防止のためのセキュリティー性を向上させることを特徴とする請求項１乃至６の何れかに記載の一般景品。
【請求項８】
前記景品に付設された通信データ記憶用ＩＣチップの内容を、複数個同時に外部と送受信することが出来ることを特徴とする請求項１乃至７の何れかに記載の一般景品。
【発明の詳細な説明】
【技術分野】
【０００１】
本発明は、一般遊戯場およびアミューズメント施設にて遊戯客に提供する各種賞品において、等価にて魅力的な一般景品を提供するものであり、かつ一部換金を目的とした換金用特殊景品としての使用も可能な景品に関するものであり、一般遊戯場業界での賞品提供の公正化と情報化促進および、一般景品の交換率向上を目的とするためのものである。
【背景技術】
【０００２】
一般遊戯場では、遊戯客が獲得したパチンコ玉およびメダルは数量に応じた一般景品に交換することが出来る。
他に、換金を目的とする景品交換においては、風俗営業等の規則及び業務の適正化等に関する法律第２３条１項−１にて、有価証券等を賞品として遊戯客に提供することが禁止されているため、有価証券以外の賞品を換金用景品として遊戯客に提供しているのが現状である。換金用景品は一般景品と区別するため、特殊景品と呼ばれて運用・管理されている。  遊戯客は、遊戯場等から提供された換金用特殊景品を近隣で営業する景品買取り店へ持参し、その換金用特殊景品を売ることで現金化している。しかし、現金化が可能な換金用特殊景品には偽造や不正が発生する可能性があるため、防止策として近年普及しているＩＣチップを矩形型の合成樹脂板に埋め込んで、景品固有の識別データを記憶させ、外部との通信にて管理・判別する方式に変わってきているのが実情である。
【０００３】
また、風俗営業等の規則及び業務の適正化等に関する法律第２３条１項−２にて、遊戯客に提供した賞品を買取ることが禁止されているため、次の流通方法にて運用している。
（イ）  遊戯場等が遊戯客に換金用特殊景品を提供し、遊戯客はその提供された換金用特殊景品を、近隣で営業している景品買取り店に持参し、これを売り渡すことによって現金化している。景品買取り店は、遊戯客から買取った換金用特殊景品を再び遊戯場等に販売することを避けるため、景品卸売業者を介在して販売している。
（ロ）  さらに、景品卸売業者は、組合を設立して、その組合が同一地域で営業する遊戯場数店につき一ヵ所の景品製造再生会社を設置している。組合に加盟している景品卸売業者は、同一地域で営業するそれぞれの遊戯場が遊戯客に提供した換金用特殊景品を、景品買取り店から景品製造再生会社に集める。また、集められた換金用特殊景品が、その換金用特殊景品を遊戯客に提供した遊戯場へ再び販売されないように各遊戯場の換金用特殊景品を互換する。このことにより、各遊戯場は、法律で禁止されている遊戯客に提供した換金用特殊景品を直接遊戯客より買取ることを防止し、換金用特殊景品は流通している。
【０００４】
【特許文献１】特開２００２−３２０７６１号公報
【特許文献２】特開平８−３０１３７９号公報
【特許文献３】特開平９−１８５６９２号公報
【発明の開示】
【発明が解決しようとする課題】
【０００５】
しかしながら、このような従来の遊戯場等から提供される一般景品および一部換金目的の特殊景品には、次のような問題があった。
（イ）  遊戯客に提供される一般景品は、一般雑貨やアクセサリー類やＣＤ・ＤＶＤソフトなど、いわゆる在庫スペースを取らない景品であり、各遊戯場に展示または在庫される景品に限定されるため、種類が少なく魅力に欠けるものがほとんどであった。
（ロ）  また、一部換金目的の特殊景品においても本来、一般景品同様に景品買取り店での換金額に相当する価値を有するものであるべきであるが、実際には単なる換金目的のための便宜上の景品に過ぎず、換金で得られる金額ほどの価値があるものはほとんどなく、買取価格の公正化に問題があるのが実態であった。したがって、この差額が大きいために景品偽造等の問題が生じている。
（ハ）  さらに、流通過程での盗難によって流出した特殊景品が景品買取り店に持ち込まれる不正行為を発見することは困難であった。
（ニ）  従来のＩＣチップまたはＩＣタグを内蔵した換金目的の特殊景品においては、ＩＣチップ・タグ等の格納場所と景品の格納場所が異なるため、ＩＣチップ・タグ等の機能を破壊・停止することなく、内蔵された景品を偽物景品と交換することができるという問題があった。
（ホ）  また、従来のＩＣチップまたはＩＣタグを内蔵した換金目的の特殊景品においては、すべてホストコンピューターとの外部通信による特殊景品に記憶された固有の識別データとの比較により、偽造や不正を防止する対策が取られているが、ホストコンピューター及び通信回線上のトラブル発生時には確認作業が全く機能しないという問題があった。
以上のように、遊戯客に提供される一般景品は遊戯場より提供を受ける限定された魅力に欠ける景品が多いため、遊戯客のほとんどは換金目的の特殊景品の提供を受けることになってしまい、業界特有の景品買取りシステム運用を余儀なくされているのが現状である。
【課題を解決するための手段】
【０００６】
本発明は上記課題を解決するためになされたものである。
本発明の景品によれば、近年普及しているメモリーカードに各種デジタルコンテンツを
内蔵し、等価にて魅力的な景品提供をおこなうことが可能である。また、提供を受けた遊戯客はインターネット経由にて、遊戯客ＩＤと一般景品ＩＤとを通信ネットワークによる接続・認証をすることにより、他の各種コンテンツを自由に選択・交換することが出来るため、より魅力的な等価景品の提供を受けることが可能となる。
また、景品としてメモリーカードを採用することにより、獲得数に応じた景品の大きさや重さを変えたものを製造する必要も無く、携帯可能な景品の標準化・共通化が図られるメリットがある。
【０００７】
また本発明に使用する記憶型ＩＣチップは、直接通信履歴等を書込むことが出来るデータ領域を搭載しており、オンライン及びオフライン時の状態でも内部データとの照合が可能な構造であり、トラブル発生時においても何ら問題無く稼働・処理することが出来る特徴がある。
【０００８】
本発明の景品収納ケース内部又は外部に、ホログラムならびにバーコード等を付設することによって、より高いセキュリティー性を確保することが出来るため、景品偽造および盗難・再利用等の不正を防止することが出来る。
【発明の効果】
【０００９】
本発明は、携帯可能なメモリーカードに内蔵したデジタルコンテンツの等価提供または、貴金属等の等価景品の提供による、一般景品への交換率向上を目的とするためのものであり、かつ、景品売買時の買取り価格の公正化・適正化を図り、偽造・不正を防止し、スタンドアロンでも運用することが可能な魅力的な一般景品を提供することを目的とする。
これにより、換金目的としての非等価特殊景品の提供を廃止でき、風俗営業等の規則及び業務の適正化等に関する法律第２３条１項−２にて禁止されている遊戯客に提供した賞品の買取りを回避するための複雑な特殊景品流通システムも大幅な見直しができ、買取りシステムの健全化・公正化をも実現することが可能となる。
【発明を実施するための最良の形態】
【００１０】
以下、本発明を図示実施例に従って詳述する。
図１は、代表的な従来の遊戯景品（特殊景品）の構成図である。
一般雑貨やＣＤ・ＤＶＤソフトなどの一般景品には、盗難防止用タグ等の取付けは無く、
換金目的のための換金用特殊景品には、偽造防止用にＩＣチップが組込まれている。
ＩＣチップが組み込まれた合成樹脂板の内、そのＩＣチップが組み込まれていない部分に、遊戯店が客に提供する換金用景品として使用する製品を格納し、透明皮膜で覆ったものが一般的な換金用特殊景品である。このＩＣチップに管理コンピューターシステムの書き込み装置を駆使して景品固有の識別データを書き込む。次に、換金用景品の流通に係わる景品買取り店の各業者に設置された管理コンピューターシステムの読み取り装置を駆使して、その書き込まれたデータを判読することで、換金用景品の真贋判別を行ない現金化される。ここで、換金用特殊景品にはメッキ処理された貴金属板または、ライターの石、文具等の比較的小型のものが使われている。
【００１１】
図２は、本発明の実施例に係る遊戯景品の構成図である。
遊戯景品は図２に示すように、デジタルコンテンツが内蔵されたメモリーカード１とカードアダプターとを収納するシート状のメモリーカードケース４と、これらの景品を格納する矩形の合成樹脂製収納ケース３と、通信データの履歴がオンラインまたはオフライン時でも記憶可能なＩＣチップ２と、アンテナ機能を備えたケースシート５および、ホログラム６および特殊バーコードが印刷されたシール７と下部シート８にて構成されている。従来同様、本景品に内蔵される記憶型ＩＣチップ２には専用の書き込み装置にて景品固有の識別データと、このチップにおける通信履歴等が書き込まれる。通常のオンライン稼働では、管理コンピューターシステムとの通信により景品固有の識別データを基に景品の発行・運用および確認・買取り業務が行われるが、不幸にもトラブルが発生した場合には管理コンピューターシステムとの通信が出来なくなり、景品固有の識別データの確認が不可能となってしまう。しかし、本発明の景品によればオフライン状態でも記憶型ＩＣチップ２内部データとの照合が可能なため、景品発行・運用および確認・買取りシステム業務での真贋判定作業をスムーズに行うことが可能である。
【００１２】
図３は、本発明に係る遊戯景品の斜視図
【００１３】
図４は、本発明に係る遊戯景品の斜視断面図
【００１４】
図５は、本発明に係る遊戯景品の外観図
【００１５】
図６は、本発明に係る遊戯景品の構成ブロック図
【００１６】
次に、本遊戯景品の作用について説明する。
【００１７】
遊戯店は、各遊戯場の一角に一般雑貨やＣＤ・ＤＶＤソフトなどの一般景品を展示・在庫し遊戯客に提供する。従来通りこの種の一般景品には盗難防止用タグ等は取付けない。しかし、本発明の一般景品には偽造・不正防止のため記憶型ＩＣチップ２を組み込み、この記憶型ＩＣチップ２に、管理コンピューターシステムの書き込み装置（図示せず）を駆使して、その一般景品の提供店名と提供日時等の情報を書き込む。また、この一般景品を一部換金用特殊景品として遊戯客に提供する場合にも、管理コンピューターシステムの書き込み装置を駆使して、換金用特殊景品に付帯する記憶型ＩＣチップ２にその換金用特殊景品の提供店名と提供日時等の情報を同様に書き込む。
それぞれの記憶型ＩＣチップ２に書き込まれた情報を、管理コンピューターシステムの読み取り装置を駆使して判読することで、一般景品または一部換金用特殊景品を提供した遊戯店を確認することが可能となる。したがって、この一般景品を一部換金用特殊景品として遊戯客に提供した場合には、法律で禁止されている遊戯店が遊戯客に提供した賞品を買取ることを防ぐため、景品買取り店を経由して景品製造再生会社に集められ、各遊戯店の換金用特殊景品の互換が容易かつ確実に行われる。
【００１８】
本発明の一般景品または一部換金用特殊景品に付帯した記憶型ＩＣチップ２に、管理コンピューターシステムの書き込み装置を駆使して景品固有の識別データを書き込む。一部換金用特殊景品として遊戯客に提供した場合または、一般景品として提供されたものを換金用特殊景品として使用された場合には、その後、換金用特殊景品の流通に係わる景品買取り店に設置された管理コンピューターシステムの読み取り装置を駆使して、その書き込まれた景品固有の識別データを判読することで、一般景品または換金用特殊景品の真贋判別が容易かつ確実に行われる。
【００１９】
本発明の一般景品または一部換金用特殊景品に格納されたメモリーカード等の景品１を取り出す際に、合成樹脂ケース３に接着または融着されたケースシート５を剥がすか、または切断することによってアンテナ機能が破壊され、通信データ記憶用ＩＣチップ２の外部送受信機能が停止する。したがって、換金用特殊景品の流通過程において、換金用特殊景品としての偽物が混入しても、管理コンピューターシステムの読み取り装置を駆使して、景品固有の識別データを判読することにより、換金用特殊景品としての真贋判別が容易かつ確実に行われる。
【００２０】
本発明の一般景品または一部換金用特殊景品において、景品を格納する合成樹脂ケース３の下面側に特殊バーコードシール７と下部シート８を接着・融着し、景品固有のバーコードデータを記憶型ＩＣチップ２に書き込む。格納されたメモリーカードや貴金属板等の景品１を、合成樹脂ケース３上面に接着・融着されたケースシート５のアンテナ機能を破壊することなくケース下面より取り出すと、特殊バーコードシール７と下部シート８が破壊され、景品流通に係わる景品買取り店に設置された特殊バーコードリーダーと管理コンピューターシステムの読み取り装置による景品固有のデータ照合ができなくなる。したがって、合成樹脂ケース３を傷つけることなく偽物景品との入れ替え、または、景品使用後に再組込みし換金用特殊景品としてる売り渡すことは不可能となり、偽造および不正を容易かつ確実に防止できる。
【００２１】
次に、本発明の実施例を図面に基づいて説明する。
図６はその実施例を示した構成ブロック図である。本発明の用途は、遊戯店が遊戯客に提供する一般景品または一部換金用特殊景品として使用される。  また、景品１に付帯する記憶型ＩＣチップ２は、その流通業務に係わる景品買取り店・景品製造再生会社・景品卸売り業者および遊戯店にそれぞれ設置され、管理コンピューター（図示せず）と読み取り装置および書き込み装置（図示せず）により構成されるコンピューターシステム間の情報伝達媒体として活用される。
つぎに、景品１に使用するメモリーカード等の景品の入手経路と、景品製造再生会社・景品卸売り業者・景品買取り店および遊戯店のそれぞれの業者が行う流通方法と流通管理方法を、換金用特殊景品として流通する順序で例示し説明する。
【００２２】
景品製造再生会社は、本発明の一般景品または一部換金用特殊景品に使用するメモリーカード等の景品１を商品販売会社から購入し、合成樹脂ケース３および記憶型ＩＣチップ２等の各部品を部品製造業者から購入する。まず、メモリーカードをメモリーカ−ドケース４に挿入し、合成樹脂ケース３の格納場所に前記メモリーカード等を格納する。さらに偽造防止用ホログラムシール６と特殊バーコードシール７を格納する。また、アンテナ内蔵ケースシート５に記憶型ＩＣチップ２を搭載する。つぎに、前記合成樹脂ケース３の上面をアンテナ内蔵ケースシート５で、下面を下部シート８で覆い接着・融着して本発明の景品を製造する。その後、以上のごとく製造した本発明の一般景品または一部換金用特殊景品に付帯する記憶型ＩＣチップ２を初期化する。初期化された記憶型ＩＣチップ２に、管理コンピューターシステムの書き込み装置を駆使して、一般景品または一部換金用特殊景品の製造年月日および納品する景品卸売り業者名を書き込む。さらに、一般景品または一部換金用特殊景品の流通過程において偽物の景品が混入しないように、景品１に付帯した記憶型ＩＣチップ２に管理コンピューターシステムの書き込み装置を駆使して、一般景品または換金用特殊景品の真贋判別するための景品固有の識別データを書き込む。  その後、一般景品または一部換金用特殊景品の換金および流通業務の公正化を図るために、景品１に付帯した記憶型ＩＣチップ２に書き込まれている製造年月日および景品卸売り業者名および景品固有の識別データ等の情報を記録したのち、一般景品または換金用特殊景品を景品卸売り業者に引き渡す。
【００２３】
景品卸売り業者は、景品製造再生会社から一般景品または換金用特殊景品を購入して遊戯店に販売するが、その販売する一般景品または換金用特殊景品には、必ず、景品製造再生会社において、景品１に付帯した記憶型ＩＣチップ２に、景品固有の識別データの書き込みと流通情報の記録を完了した景品を使用する。景品１に付帯した記憶型ＩＣチップ２に管理コンピューターシステムの書き込み装置を駆使して、一般景品または換金用特殊景品の納品日を書き込み遊戯店に提供する。
【００２４】
遊戯店は、店内に設置した遊戯機に使用するパチンコ玉やメダルを遊戯客に有償で貸与する。パチンコ玉やメダルを貸与された遊戯客は、そのパチンコ玉やメダルで遊戯し、遊戯の終了時に獲得数に応じた一般景品または一部換金用特殊景品の提供を受ける。この際、遊戯店は景品提供数を算出し、景品１に付帯した記憶型ＩＣチップ２に管理コンピューターシステムの書き込み装置を駆使して、一般景品または換金用特殊景品の提供店名および提供日時等を書き込み遊戯客に提供する。
【００２５】
遊戯客は、遊戯店から提供されたデジタルコンテンツ内蔵メモリーカード等の一般景品にて、自宅パソコンでゲームプレィまたは音楽・映像等を鑑賞することができる。また、
インターネット経由にて遊戯客ＩＤと一般景品ＩＤとを認証することにより、他の各種コンテンツを自由に選択・交換することが出来、より魅力的な等価景品の提供を受けられる。
換金用特殊景品として使用する場合には、遊戯店の近隣で営業する景品買取り店に持参して、換金のため売り渡すことができる。
【００２６】
景品買取り店は、遊戯客が遊戯店から提供を受けて持参した一般景品または換金用特殊景品を買取る際、景品１に付帯した記憶型ＩＣチップ２に、景品製造再生会社にて書き込まれた景品固有の識別データを、管理コンピューターシステムの読み取り装置を駆使して判読し、一般景品または換金用特殊景品の真贋判別を実施したのち、遊戯客が持参した一般景品または換金用特殊景品を買取る。
【００２７】
景品製造再生会社は、景品買取り店が遊戯客から買取るすべての一般景品または換金用特殊景品を買取り、その景品に付帯した記憶型ＩＣチップ２に書き込まれた景品固有の識別データを、管理コンピューターシステムの読み取り装置を駆使して判読し、一般景品または換金用特殊景品の真贋判別をする。つぎに、景品製造再生会社は、真贋判別検査を終了した景品１の製品検査を行い、検査終了後、本景品に付帯した記憶型ＩＣチップ２を初期化する。さらに、初期化された記憶型ＩＣチップ２に、管理コンピューターシステムの書き込み装置を駆使して、新たに景品製造年月日および販売する景品卸売り業者名および景品固有の識別データを書き込むことにより、新しい一般景品または換金用特殊景品とし再び景品卸売り業者に売り渡される。
以上のように構成された一般景品または一部換金用特殊景品の流通過程において、本発明の景品１に付帯した記憶型ＩＣチップ２は、コンピューターシステム間の情報伝達媒体として利用されるとともに偽物景品の混入を防止するためにも利用される。
また、偽造・不正行為等の発生する可能性が高い換金用特殊景品としての取引において、その流通過程に、景品製造再生会社を介在させることにより、流通情報の管理ができるとともに、換金用特殊景品の換金業務の公正化と情報化が図られる。
また、本発明の一般景品または一部換金用特殊景品は、その流通過程において、景品買取り店が遊戯客から買取る価格を数種類に分けて設定することが可能である。この場合、一般景品または換金用特殊景品に使用する景品を、種類別に設定された買取り価格に応じた等価の景品にするとともに、その種類別に景品１の合成樹脂ケース３の色を変えて、景品１の種類分けを行うことが出来る。なお、一般景品または一部換金用特殊景品に使用される景品は、従来の換金用景品に使用されているゴールドプレートの代わりに、他の貴金属等の等価景品を使用することもできる。
本発明に係る遊戯景品によれば、携帯可能なメモリーカードに内蔵したデジタルコンテンツ等の等価提供により、一般景品への交換率向上を図られる。また、一部換金用特殊景品としての使用時では、景品売買時の買取り価格の公正化・適正化が図られ、偽造・不正を防止し、スタンドアロンでも運用することが可能な魅力的な景品を提供することができる。
以上より、換金目的としての非等価特殊景品の提供を廃止でき、風俗営業等の規則及び業務の適正化等に関する法律第２３条１項−２にて禁止されている遊戯客に提供した賞品の買取りを回避するための複雑な特殊景品流通システムも大幅な見直しができ、買取りシステムの健全化・公正化をも実現することが可能となる。
【図面の簡単な説明】
【００２８】
【図１】従来の遊戯景品（特殊景品）の構成図である。
【図２】本発明の実施例に係る遊戯景品の構成図である。
【図３】この発明の一実施形態を示す遊戯景品の斜視図である。
【図４】この発明の一実施形態を示す遊戯景品の斜視断面図である。
【図５】この発明の一実施形態を示す遊戯景品の外観図である。
【図６】この発明の一実施形態を示す構成ブロック図である。
【符号の説明】
【００２９】
１ ・・・  本景品（メモリーカード）
２ ・・・  記憶型ＩＣチップ 
３ ・・・  合成樹脂ケース
４ ・・・  メモリーカードケース
５ ・・・  アンテナ内蔵ケースシート（シート状ＲＦＣＰＵ）
６ ・・・  ホログラムシール
７ ・・・  特殊バーコードシール
８ ・・・  下部シート
【図１】
2009153567.tif 000003
【図２】
2009153567.tif 000004
【図３】
2009153567.tif 000005
【図４】
2009153567.tif 000006
【図５】
2009153567.tif 000007
【図６】
2009153567.tif 000008